(57)【特許請求の範囲】
【請求項１】
網状のテ−プ本体の片面に、該テ−プ本体よりも幅狭に形成された特殊粘弾性板を上記テ−プ本体の長手方向中央に沿って粘着し、更に該特殊粘弾性板の表面に、剥離紙を貼付したことを特徴とする変形追従型目地消しテ−プ。
【請求項２】
網状のテ−プ本体の裏面に、該テ−プ本体よりも幅狭に形成された掩蔽薄板を上記テ−プ本体の長手方向中央に沿って接着し、一方上記テ−プ本体の表面には、該テ−プ本体よりも幅狭に形成された特殊粘弾性板を該テ−プ本体の長手方向中央に沿って粘着し、更に上記特殊粘弾性板の表面に、剥離紙を貼付したことを特徴とする変形追従型目地消し掩蔽テ−プ。
【請求項３】
網状のテ−プ本体に、該テ−プ本体よりも幅狭の特殊粘弾性体を上記テ−プ本体の長手方向中央に沿って含侵させて一体的に設けたことを特徴とする変形追従型目地消し掩蔽テ−プ。
【発明の詳細な説明】
【０００１】
【発明の属する技術分野】
本発明は免震工法としてのＡＬＣ板やコンクリ−ト成形板の目地ずれ並びに鉄筋コンクリ−ト造、鉄骨鉄筋コンクリ−ト造に２次壁の構造スリットに変形追従し、かつ応力分散を支障なく行える目地消し掩蔽用テ−プに関するものである。
【０００２】
【従来の技術】
建築物における壁面部材として、コンクリ−ト系では、ＰＣ板や軽量気泡コンクリ−ト板（ＡＬＣ板）、押出成形セメント板などがある。
これらの壁面部材の標準幅は６００ｍｍ、厚さ３５〜１５０ｍｍであり、鉄骨壁枠内に複数枚の壁面部材が組み込まれられることとなり、壁面部材同志の接合部分にはシ−リング材が充填された目地部が形成されることとなる。
そこで上記目地部を隠し、建築意匠上の高級感を与えた付加価値を高めるために、上記施工された壁面部材面に外装磁器タイル張りや塗装仕上げなどを施すことがある。
【０００３】
又床面部材も上記同様に床面部材が鉄骨枠内に組み込まれ、その接合部分にシ−リング材が充填された目地部が形成され、更に防水および強耐性を持たせるために、床面部材上面に防水シ−トや床仕上材を施すものである。
【０００４】
【発明が解決しようとする課題】
しかし地震大国の日本では地震に対する鉄筋コンクリ−ト建造物の基準が設定されており、その中で「中高層壁式ラ−メン鉄筋コンクリ−ト造設計施工指針」に示す壁式ラ−メン構造については、２次壁（壁面部材）と構造骨組（鉄骨枠内）との間にスリットを設け、地震時の構造骨組の揺れに応じて２次壁が追従できる構造とすることにより複数枚の壁面部材間の目地ズレによって変形応力を分散し２次壁の崩落、破壊を防止する構造とするものである。
【０００５】
従って上記タイル張りを施す場合では図１４に示すように、壁面部材ａ面にタイル貼り用モルタルｂを塗布し、タイルｃを貼着していくものであるが、結果的には図１５に示すようにタイルｃによって複数枚の壁面部材が一体的に固定された状態となり地震による変形応力が生じた場合には、壁面部材の一端側に変形応力が働き、壁面部材の端部、あるいは全体が崩落するなどの問題が生じ、免震構造をする目的が達成できなくなる問題がある。
【０００６】
次に床面部材に於けるアスファルト張りを施す場合でも図１６に示すように、壁面部材ａ，ａとの互いのズレによってアスファルトｅに変形応力が働き、アスファルトｅに割れ、切損などが生じ、水洩れ、亀裂などの問題が生じる。
【０００７】
本発明では上記問題点を解消するために、壁面部材、床面部材特に軽量気泡コンクリ−ト板や押出成形セメント板を使用した建築物の接合目地部分を遮蔽し、かつ壁面部材、床面部材の接合部に働く変形応力に追従し、かつ分散するこを目的とするものである。
【０００８】
【課題を解決するための手段】
本発明の上記目的は次の如き構成によって達成できる。即ちその要旨は網状のテ−プ本体の片面に、該テ−プ本体よりも幅狭に形成された特殊粘弾性板を上記テ−プ本体の長手方向中央に沿って粘着し、更に上記特殊粘弾性板の表面に剥離紙を貼付したことを特徴とする変形追従型目地消し掩蔽テ−プおよび網状のテ−プ本体の裏面に、該テ−プ本体よりも幅狭に形成された掩蔽薄板を上記テ−プ本体の長手方向中央に沿って接着し、一方上記テ−プ本体の表面には、該テ−プ本体よりも幅狭に形成された特殊粘弾性板を該テ−プ本体の長手方向中央に沿って粘着し、更に上記特殊粘弾性板の表面に、剥離紙を貼付したことを特徴とする変形追従型目地消し掩蔽テ−プである。
更に網状のテ−プ本体に、該テ−プ本体よりも幅狭の特殊粘弾性体を上記テ−プ本体の長手方向中央に沿って含侵させて一体的に設けることにより、テ−プ本体厚さを維持した掩蔽テ−プを構成するものである。
【０００９】
壁面部材は、プラスタ−ボ−ド、軽量気泡コンクリ−ト板（ＡＬＣ板）、セメント押出成形板、石綿スレ−ト板や珪酸カルシウム板等の外装ボ−ド、プレキャストコンクリ−ト板、コンクリ−ト・モルタル伸縮目地などを含む概念である。
掩蔽テ−プ本体は網状（メッシュタイプ）になっており、幅は通常３０〜６０ｍｍの範囲内にあり、全体の厚さは０．２ｍｍあるいはそれ以下であるのが望ましい。
本発明にいう網状とは、メッシュの他、織布や編布などの目が荒いものを含む概念である。
【００１０】
掩蔽テ−プに設けられる特殊粘弾性板は、幅１０〜５０ｍｍの範囲内にあり、厚さ０．１〜１．０ｍｍであるのが望ましい。
掩蔽テ−プに設けられる掩蔽薄板は、幅１０〜５０ｍｍの範囲内にあり、厚さ０．０５〜０．２ｍｍ（好ましくは０．１ｍｍ）であるのが望ましい。
なお、テ−プ本体と掩蔽薄板が上記値より厚すぎると、施工時に段部が目立つので見苦しい。また、薄すぎると十分な強度が確保できなくなる。
本発明にいう接着剤とは、粘着剤も含む概念である。又接着剤の層とは、接着剤または粘着剤の単層である場合と、接着剤または粘着剤と他の素材との複合層である場合を含む。
【００１１】
テ−プ本体に使用する素材は、特に限定するものではないが、錆付きや劣化が生じにくく、引っ張り強度が強いもの、例えば剛直性高分子（全芳香族ポリエステル繊維、全芳香族ポリアミド繊維、または屈曲性高分子、超高重合度ポリエチレン繊維、その他これらに類するものなど）やガラス繊維などが使用される。
テ−プ本体を構成する経糸、緯糸にどのような繊維を使用するかについては、施工箇所、使用材料など各種条件によって適宜選択される。
【００１２】
又、テ−プ本体を形成するものが糸状物である場合は、上記素材の繊維をより合わせたものが糸状物として使用される。なお、糸状物は繊維をより合わせて形成したものだけでなく、線状で偏平に変形させることが可能なものであれば、他の構造を備えたものでもよい。
【００１３】
掩蔽テ−プの特殊粘弾性板は、目地部を保護し、かつ壁面部材、床面部材の変形応力に十分にテ−プ本体と共に応力を分散して追従できるためのものであり、例えば、アクリル・ゴム・ポリエチレン・ウレタン等が使用される。
又剥離紙は、厚さ０．０１〜０．２ｍｍ（標準０．１ｍｍ）の各種紙、ポリエチレン等の素材を使用する。
【００１４】
【発明の実施の形態】
以下本発明の実施の形態を、その実施例を示す図面を参酌しながら詳述する。
実施例１
図１および図２にそれぞれ示すように、掩蔽テ−プ１は、網状のテ−プ本体２の片面に、上記テ−プ本体２幅より幅狭に形成される特殊粘弾性板３がテ−プ本体２の幅方向の中央に長手方向に沿って設けられるものである。
従って上記テ−プ本体２の幅方向の両側には接着部４が形成されることとなる。
更に上記特殊粘弾性板３の表面には、剥離紙Ａが貼付されている。
【００１５】
そこで図３に示すように、テ−プ本体２はアラミッド繊維をより合わせて糸状にした経糸５と緯糸６を使用して網状に形成されており、強靱な引っ張り強度を有している。
経糸５と緯糸６には熱可塑性の樹脂７が含浸させてあり、これを加熱押圧して、経糸５と緯糸６は樹脂７と共に偏平に固化形成されている。
なお、樹脂７は経糸５と緯糸６に含侵ではなくコ−ティングすることもできる。
【００１６】
アラミッド繊維は、少なくともテ−プ本体２の緯糸６として使用すれば強度においては十分である。経糸５と緯糸６に使用される他の繊維素材としてはガラス繊維などをあげることができる。
また、上記樹脂７を含侵させることにより、糸の弾性による形状の復帰を防止できる。なお、樹脂７は切断時の目ずれを防止する目止め作用がある。
【００１７】
特殊粘弾性板３は、アクリル・ゴム・ポリエチレン・ウレタン等の素材から形成され、適度な柔軟性と弾力性を備え、テ−プ本体２の変形に一体となって追従できる構成とする。
又上記特殊粘弾性板３とテ−プ本体２との粘着は、アクリル・ゴム・シリコン・エポキシ・ポリオレフィン系の粘着剤を使用し、テ−プ本体２の変位に応じて特殊粘弾性板３が追従できる構成とするものである。
【００１８】
実施例２
図４に示すように、掩蔽テ−プ１は、網状のテ−プ本体２の裏面に、同テ−プ本体２幅より幅狭に形成される掩蔽薄板３ａが、又上記テ−プ本体２の表面には、上記テ−プ本体２幅より幅狭に形成される特殊粘弾性板３がテ−プ本体２の幅方向の中央に長手方向に沿って設けられるものである。
従って上記テ−プ本体２の幅方向の両側には接着部４が形成されることとなる。
更に上記特殊粘弾性板３の表面には、剥離紙Ａが貼付されている。
【００１９】
上記掩蔽薄板３ａはステンレス製の薄板である。又掩蔽薄板３ａとテ−プ本体２の接着に当たっては、掩蔽薄板３ａに設けられる接着剤層に網状のテ−プ本体２を埋没させた状態で接着し、塗り厚が加算されないように設定する。
又、製造に当たっては、掩蔽薄板３ａの上に接着剤層を形成し、その上にテ−プ本体２を張り、ロ−ラで加熱押圧してテ−プ本体２を偏平化させながら接着剤層に埋没させる。
【００２０】
実施例３
図５および図６に示すように、掩蔽テ−プ１は、網状のテ−プ本体２幅より幅狭に特殊粘弾性体３ｂを含侵させ、上記テ−プ本体２の長手方向中央に沿って特殊粘弾性体３ｂを形成するものである。
この掩蔽テ−プ１は、幅約５０ｍｍのテ−プ本体２の幅方向中央に、その両側約１５ｍｍを残した状態でアクリル・ゴム・ポリエチレン・ウレタン等からなる特殊粘弾性板３ｂを網状のテ−プ本体２に含侵させてその厚さ０．１〜０．５ｍｍ以内とし、掩蔽テ−プ１の厚さをできるだけ薄く維持し、壁面部材との目地消しと共に、壁面部材の塗装に段差を与えない構成とするものである。
【００２１】
次に本発明の掩蔽テ−プ１を使用したタイル張り施工を図７〜図１１にそれぞれ示す。
壁面構造体は、壁面部材である軽量気泡コンクリ−ト板（ＡＩＣ板）８、８と、それらの接合部に形成されている目地部９と、同目地部９に充填されているシ−リング材１０とから構成される。
【００２２】
軽量気泡コンクリ−ト板８、８との間には、ゴム製または発砲スチロ−ル製のバックアップ材１１が配置され、目地部９には、バックアップ材１１の外部側にシ−リング材１０が充填され、これにより軽量気泡コンクリ−ト板８、８が接合されている。軽量気泡コンクリ−ト板８、８の角部には、４５度の角度で面取り部１２、１２が設けてある。
なおシ−リング材としては、アクリル系が最も多く、その他変成シリコ−ン系、アクリルウレタン系、ポリウレタン系などが使用される。
【００２３】
図８に示すように、軽量気泡コンクリ−ト板８、８の目地部９に沿って、その両側面をカンナなどによって掩蔽テ−プ幅の下地処理を行い、その下地面にプライマ−１３を塗布する。
次に図９に示すように、目地部９の全長にわたり、目地部９にテ−プ本体２を被せるようにして掩蔽テ−プ１を配置し、接着部４を軽量気泡コンクリ−ト板８の壁面にカッタ−ピンなどを使用して固定し、掩蔽テ−プ１の仮止めを行う。
従って掩蔽柔軟板３が目地部９に沿って現出した状態となる。
更に掩蔽テ−プ１の両側の接着部４の部分に接着剤を適当な厚さに塗布して接着剤層１４を形成する。この場合軽量気泡コンクリ−ト板８の表面に網状の接着部４を通して接着剤が塗布されることにより、網状の接着部４は接着層１４にからみ合って埋没した状態となり、強固な接着が可能となる。
これにより掩蔽テ−プ１の内側面には、目地空間部１５が形成される。
【００２４】
そして図１０に示すように、軽量気泡コンクリ−ト板８、８面に対してタイル張り用としての接着剤を塗布する。この接着剤は揺変性をもった弾性エポキシ樹脂であるが、耐候性に強く、劣化しないものが望ましい。
この接着剤によって特殊粘弾性板３厚さのタイル張り接着層１６を形成する。この時、コテなどによって接着剤を塗布するために特殊粘弾性板３面に貼付される剥離紙Ａ面に接着剤が付着することがあるが、作業性を優先させる。
【００２５】
図１２に示すように、剥離紙Ａを剥がし、軽量気泡コンクリ−ト板８、８面に形成される接着層１６にタイル１７を張り付けるものであり、上記特殊粘弾性板３面とタイル１７との間には接着層が介在されずにタイル１７の張り付けが可能となる。
【００２６】
又図１２に示すように、目地空間部１５が大きい場合には、実施例２で示す掩蔽テ−プ１を使用し、掩蔽薄板３ａによって目地空間部１５を覆設した状態で掩蔽テ−プ１を軽量気泡コンクリ−ト板８、８間に設ける。
従って上記掩蔽薄板３ａにより掩蔽テ−プ１の陥没を防ぐことが可能となる。
【００２７】
従ってタイル１７によって軽量気泡コンクリ−ト板８、８が一体的に固定されることがなく、各軽量気泡コンクリ−ト板８が地震による変形応力に応じて変形応力を追従分散できることとなる。
又掩蔽テ−プ１は、テ−プ本体２が網目状とされるために、軽量気泡コンクリ−ト板８の目地ズレに対する変形応力を分散する効果があり、かつ特殊粘弾性板３もそれに応じて一体となって変形応力を分散する効果がある。
【００２８】
次に掩蔽テ−プ１の接着部４は軽量気泡コンクリ−ト板８と強固に接着され、かつタイル１７と接着部４とが接着層１６を介して強固に接着されている関係から個々のタイル１７は掩蔽テ−プ１全体と接着された関係となり、掩蔽テ−プ１全体が剥がれない限りタイル１７自体が剥がれることがなく、目地ズレによるタイルの剥落が皆無となる。
【００２９】
図１３に示すように、床面部材における床仕上材としてのアスファルト張りの場合においても、上記図９から図１０に示す順序で軽量気泡コンクリ−ト板８、８との間の目地部９に掩蔽テ−プ１を設け、アスファルト１８の敷設を行う。
この場合には、アスファルト１８と目地部９とが直接的に接着していないために、目地ズレによる変形応力が掩蔽テ−プ１によって分散され、アスファルト１８の割れ、切損を防止することが可能となる。
【００３０】
【発明の効果】
以上述べて来た如く本発明によれば、鉄筋コンクリ−ト造・鉄骨鉄筋コンクリ−ト造の２次壁の構造スリットの接合材として、試験結果により層間変位１／６０まで追従し、タイルの剥落、外観・内装を損なうことなく、建物を保持・保全することが可能となる。
又目地部を外的環境から保護し、シ−リング材の劣化を防ぎ、二重耐水構造をなるために、漏水を完璧に防ぐことが可能となる。
【図面の簡単な説明】
【図１】本発明実施例１における掩蔽テ−プの要部底面図である。
【図２】図１における掩蔽テ−プの横断面図である。
【図３】図２における横断面図の要部を拡大した説明図である。
【図４】本発明実施例２における掩蔽テ−プの横断面説明図である。
【図５】本発明実施例３における掩蔽テ−プの横断面説明図である。
【図６】図５における横断面図の要部を拡大した説明図である。
【図７】本発明実施例１における施工説明図である。
【図８】本発明実施例１における施工説明図である。
【図９】本発明実施例１における施工説明図である。
【図１０】本発明実施例１における施工説明図である。
【図１１】本発明実施例１における施工説明図である。
【図１２】本発明実施例２における実施状態を示す説明図である。
【図１３】本発明の掩蔽テ−プを使用してのアスファルト張り施工状態を示す説明図である。
【図１４】従来のタイル張りを示す説明図である。
【図１５】従来のタイル張りによる壁面部材の状態を示す説明図である。
【図１６】従来のアスファルト張りを示す説明図である。
【符号の説明】
Ａ        剥離紙
１        掩蔽テ−プ
２        テ−プ本体
３        特殊粘弾性板
３ａ      掩蔽薄板
３ｂ      特殊粘弾性体
４        接着部
５        経糸
６        緯糸
７        樹脂
【図１】
0003742691.tif 000002
【図２】
0003742691.tif 000003
【図３】
0003742691.tif 000004
【図４】
0003742691.tif 000005
【図５】
0003742691.tif 000006
【図６】
0003742691.tif 000007
【図７】
0003742691.tif 000008
【図８】
0003742691.tif 000009
【図９】
0003742691.tif 000010
【図１０】
0003742691.tif 000011
【図１１】
0003742691.tif 000012
【図１２】
0003742691.tif 000013
【図１３】
0003742691.tif 000014
【図１４】
0003742691.tif 000015
【図１５】
0003742691.tif 000016
【図１６】
0003742691.tif 000017